(57)【要約】【課題】画像形成に関する各設定項目で設定されている設定値を従来よりも効率よく利用可能にする。【解決手段】画像形成装置１は、表示部４７３と、画像形成に関する各設定項目の値の入力を受け付ける設定値受付部５０と、設定項目の初期値もしくは設定値受付部５０で過去時点に入力を受け付けた旧設定値の少なくとも一方と、設定値受付部５０で最新に入力を受け付けた新設定値とを設定項目に対応付けて記憶する設定値記憶部９２と、前記記憶されている初期値もしくは旧設定値の少なくとも一方と、新設定値とを設定値記憶部９２から取得し、設定項目に対応付けて表示部４７３に表示する表示制御部１０１と、を備える。【選択図】図２
2015212062.tif 000002
【特許請求の範囲】
【請求項１】
表示部と、
画像形成に関する各設定項目の値の入力を受け付ける設定値受付部と、
前記設定項目の初期値もしくは前記設定値受付部で過去時点に入力を受け付けた旧設定値の少なくとも一方と、前記設定値受付部で最新に入力を受け付けた新設定値とを前記設定項目に対応付けて記憶する設定値記憶部と、
前記記憶されている前記初期値もしくは前記旧設定値の少なくとも一方と、前記新設定値とを前記設定値記憶部から取得し、前記設定項目に対応付けて前記表示部に表示する表示制御部と、を備える画像形成装置。
【請求項２】
前記記憶されている前記初期値又は前記旧設定値から前記新設定値が変更されているかを判断する変更判断部を備え、
前記表示制御部は、
前記変更判断部で前記新設定値が前記初期値又は前記旧設定値から変更されたと判断された場合に、当該新設定値を前記初期値又は前記旧設定値に対応付けて前記表示部に表示する請求項１に記載の画像形成装置。
【請求項３】
前記表示制御部は、
前記変更判断部で前記新設定値が前記初期値又は前記旧設定値から変更されたと判断された場合に、当該変更されたことを警告表示する警告標識を前記表示部に表示する請求項２に記載の画像形成装置。
【請求項４】
前記設定項目の選択を受け付ける設定項目選択部と、
前記設定項目選択部で選択された設定項目に対応する前記記憶されている初期値又は旧設定値を前記設定値記憶部から読み出し、前記設定項目選択部で選択された設定項目に対応する新設定値として前記設定値記憶部に書き込む設定値書込部と、を備える請求項２又は請求項３に記載の画像形成装置。
【請求項５】
前記設定項目選択部は、
複数の設定項目の選択を受け付けるものであって、
前記設定値書込部は、
前記設定項目選択部で選択された複数の設定項目に対応する前記記憶されている各初期値又は各旧設定値を前記設定値記憶部から読み出し、前記設定項目選択部で選択された複数の設定項目に対応する各新設定値として前記設定値記憶部に書き込む請求項４に記載の画像形成装置。
【請求項６】
前記設定項目選択部で選択された設定項目に対応する初期値もしくは旧設定値の選択を受け付ける設定値選択部を備え、
前記設定値書込部は、
前記設定値選択部で選択された初期値もしくは旧設定値を前記設定値記憶部から読み出し、前記設定値選択部で選択された初期値もしくは旧設定値に対応する新設定値と置き換えて前記設定値記憶部に書き込む請求項４又は請求項５に記載の画像形成装置。
【請求項７】
前記初期値もしくは前記旧設定値と、前記新設定値との差分値を算出する差分値算出部と、
前記差分値算出部で算出された差分値を前記設定項目に対応付けて記憶する差分値記憶部と、を備え、
前記表示制御部は、
前記差分値記憶部に記憶されている差分値を前記設定項目に対応付けて前記表示部に表示する請求項１乃至請求項６のいずれか一項に記載の画像形成装置。
【発明の詳細な説明】
【技術分野】
【０００１】
本発明は、画像形成装置に関し、特に、画像形成に関する各設定項目の設定値を設定する技術に関する。
【背景技術】
【０００２】
一般に、画像形成に関する各設定項目の設定値を記憶装置に記憶する画像形成装置において、情報量の増加に伴い記憶装置の容量不足が生じた場合の処理や、不慮の事故により記憶装置が破損した場合の設定値の損失に対する有効な処理方法が提案されている。
【０００３】
例えば、下記特許文献１には、画像形成装置のもつ各種機能の設定値を記憶する異なる記憶装置を複数個有し、同一設定値をそれぞれの記憶装置に定期的にバックアップすることにより、記憶装置に容量不足が生じたり、記憶装置の破損により設定値の損失が生じたりした場合でも、正常に記憶されている記憶装置の設定値を用いて設定値の再設定を行うことができる画像形成装置が示されている。これにより、不慮の事故で記憶装置に破損が生じた場合でも、正常に記憶されている記憶装置の設定値を用いて設定値を設定し直すことができる。
【先行技術文献】
【特許文献】
【０００４】
【特許文献１】特開２００２−１１９２１号公報
【発明の概要】
【発明が解決しようとする課題】
【０００５】
上記特許文献１に示されている従来の画像形成装置は、不慮の事故で記憶装置に破損が生じた場合に、バックアップされている正常な設定値を用いて設定値の再設定を行うものである。
【０００６】
しかしながら、記憶装置にバックアップされている設定値は、記憶装置に破損が生じた場合のみならず、画像形成装置の通常運用時にも効率よく利用されることが好ましい。
【０００７】
本発明は、上記の問題を解決するためになされたもので、画像形成に関する各設定項目で設定されている設定値を従来よりも効率よく利用可能にすることを目的とする。
【課題を解決するための手段】
【０００８】
本発明の請求項１に記載の発明は、表示部と、
画像形成に関する各設定項目の値の入力を受け付ける設定値受付部と、
前記設定項目の初期値もしくは前記設定値受付部で過去時点に入力を受け付けた旧設定値の少なくとも一方と、前記設定値受付部で最新に入力を受け付けた新設定値とを前記設定項目に対応付けて記憶する設定値記憶部と、
前記記憶されている前記初期値もしくは前記旧設定値の少なくとも一方と、前記新設定値とを前記設定値記憶部から取得し、前記設定項目に対応付けて前記表示部に表示する表示制御部と、を備える画像形成装置である。
【０００９】
本発明では、設定値記憶部は、設定項目の初期値もしくは設定値受付部で過去時点に入力を受け付けた旧設定値の少なくとも一方と、設定値受付部で最新に入力を受け付けた新設定値とを設定項目に対応付けて記憶するため、表示制御部は、初期値もしくは旧設定値の少なくとも一方と、新設定値を設定値記憶部から取得し、設定項目に対応付けて表示部に表示することになる。
【００１０】
本発明では、工場出荷時に設定されている初期値（本実施形態では工場出荷時初期値）や、過去時点に入力を受け付けた旧設定値（本実施形態では復元ポイント）と、最新に入力を受け付けた新設定値を設定項目ごとに、表示部を通じてユーザーに明示できるので、表示部を見たユーザーは、設定項目の新設定値と、初期値や旧設定値とを一目で比較することができる。つまり、本発明によれば、例えば、ジョブ設定、機器設定、及びメンテナンス設定等で意図する出力が得られなかったとしても、ユーザーが表示部を見れば、新設定値が初期値や旧設定値と異なることを一見して確認できるので、どの設定値が原因で意図する出力が得られなかったかについて迅速な分析及び解決を実現できる。
【００１１】
より具体的には、本発明によれば、印刷画像不良等の不具合が発生した場合に、どの設定値が原因で不具合が発生しているのかをユーザーが表示部を通じて一見して確認できるので、不具合の原因究明に向けた迅速な分析及び解決を実現できる。
【００１２】
従って、本発明によれば、画像形成に関する各設定項目で設定されている設定値を従来よりも効率よく利用することが可能である。
【発明の効果】
【００１３】
本発明によれば、画像形成に関する各設定項目で設定されている設定値を従来よりも効率よく利用することが可能である。
【図面の簡単な説明】
【００１４】
【図１】本発明の第１実施形態に係る画像形成装置を備えた画像形成装置の構造を示す正面断面図である。
【図２】本発明の第１実施形態に係る画像形成装置の主要内部構成を示す機能ブロック図である。
【図３】本発明の第１実施形態に係る設定項目の設定値の変更動作手順の一例を示すフローチャートである。
【図４】設定値リスト画面の一例を示す画面構成図である。
【図５】設定値メニュー画面の一例を示す画面構成図である。
【図６】本発明の第２実施形態に係る設定項目の設定値の変更動作手順の一例を示すフローチャートである。
【図７】設定値リスト画面の一例を示す画面構成図である。
【図８】設定値変更画面の一例を示す画面構成図である。
【発明を実施するための形態】
【００１５】
以下、本発明の第１実施形態に係る画像処理装置、画像形成装置、及び画像処理プログラムについて図面を参照して説明する。図１は、本発明の第１実施形態に係る画像処理装置を備えた画像形成装置の構造を示す正面断面図である。
【００１６】
本発明の第１実施形態に係る画像形成装置１は、例えば、コピー機能、プリンター機能、スキャナー機能、およびファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１７】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。なお、表示部４７３は、特許請求の範囲における表示部の一例となる。表示部４７３の表面全体には、ユーザーの指等により押圧可能な透明の抵抗膜式タッチパネル５０が貼り付けられている。抵抗膜式タッチパネル５０は、特許請求の範囲における設定値受付部、設定項目選択部、及び設定値選択部の一例となる。抵抗膜式タッチパネル５０は、例えば、微小間隔を開けて形成された一対の抵抗膜（図示せず）で構成される。例えば、ユーザーの指が表示部４７３に接触した場合、その接触を抵抗膜式タッチパネル５０が検出する。具体的に、抵抗膜式タッチパネル５０は、指が接触した表示部４７３の表示領域に対応する抵抗膜間の抵抗値の変化を検出することによって、画像形成に関する各設定項目の値の入力を受け付けたり、設定項目の選択を受け付けたり、設定値の選択を受け付けたりする。
【００１８】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１９】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００２０】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を、熱圧着により記録紙Ｐに定着させる。定着処理の完了したカラー画像形成済みの記録紙Ｐは、排出トレイ１５１に排出される。
【００２１】
給紙部１４は、複数の給紙カセットを備える。制御部１００（図２）は、操作者による指示で指定されたサイズの記録紙が収容された給紙カセットのピックアップローラー１４５を回転駆動させて、各給紙カセットに収容されている記録紙Ｐを上記ニップ部Ｎに向けて搬送させる。
【００２２】
なお、画像形成装置１において、両面印刷を行う場合は、画像形成部１２より一方の面に画像が形成された記録紙Ｐを、排出ローラー対１５９にニップされた状態とした後、当該記録紙Ｐを排出ローラー対１５９によりスイッチバックさせて反転搬送路１９５に送り、搬送ローラー対１９により、上記ニップ部Ｎ及び定着部１３に対して記録紙Ｐの搬送方向上流域に再度搬送する。これにより、画像形成部１２により当該記録紙の他方の面に画像が形成される。
【００２３】
図２は、本発明の第１実施形態に係る画像形成装置１の主要内部構成を示す機能ブロック図である。画像形成装置１は、制御ユニット１０、操作部４７、抵抗膜式タッチパネル５０、原稿給送部６、原稿読取部５、画像メモリー３２、画像形成部１２、定着部１３、駆動モーター７０、ファクシミリ通信部７１、ネットワークインターフェイス部９１、及びＨＤＤ９２等を備える。
【００２４】
原稿読取部５は、制御ユニット１０による制御の下、光照射部及びＣＣＤセンサー等を有する読取機構１６３（図１）を備える。原稿読取部５は、光照射部により原稿を照射し、その反射光をＣＣＤセンサーで受光することにより、原稿から画像を読み取る。
【００２５】
画像メモリー３２は、原稿読取部５による読取で得られた原稿画像のデータを一時的に記憶したり、画像形成部１２のプリント対象となるデータを一時的に保存したりする領域である。
【００２６】
ファクシミリ通信部７１は、図略の符号化／復号化部、変復調部及びＮＣＵ（Network Control Unit）を備え、公衆電話回線網を用いてのファクシミリの送信を行うものである。
【００２７】
ネットワークインターフェイス部９１は、ＬＡＮボード等の通信モジュールから構成され、当該ネットワークインターフェイス部９１に接続されたＬＡＮ等を介して、ローカルエリア内又はインターネット上のコンピューター２０等と種々のデータの送受信を行う。
【００２８】
ＨＤＤ９２は、原稿読取部５によって読み取られた原稿画像等を記憶する大容量の記憶装置である。ＨＤＤ９２は、画像形成に関する設定項目の工場出荷時初期値もしくは抵抗膜式タッチパネル５０で過去時点（正常に稼働していた時点）に入力を受け付けた復元ポイントの少なくとも一方と、抵抗膜式タッチパネル５０で最新に入力を受け付けた新設定値を設定項目に対応付けて記憶する。ＨＤＤ９２は、特許請求の範囲における設定値記憶部の一例となる。工場出荷時初期値は、特許請求の範囲における初期値の一例となる。復元ポイントは、特許請求の範囲における旧設定値の一例となる。
【００２９】
駆動モーター７０は、画像形成部１２の各回転部材及び搬送ローラー対１９等に回転駆動力を付与する駆動源である。
【００３０】
制御ユニット１０は、ＣＰＵ(Central Processing Unit)、ＲＡＭ、ＲＯＭ及び専用のハードウェア回路等から構成され、画像形成装置１の全体的な動作制御を司る。制御ユニット１０は、制御部１００、表示制御部１０１、設定値書込部１０２、差分値算出部１０３、差分値記憶部１０４、及び変更判断部１０５を備える。
【００３１】
制御部１００は、操作部４７、抵抗膜式タッチパネル５０、原稿給送部６、原稿読取部５、画像メモリー３２、画像形成部１２、定着部１３、駆動モーター７０、ファクシミリ通信部７１、ネットワークインターフェイス部９１、及びＨＤＤ９２等と接続され、これら各部の制御を行う。
【００３２】
表示制御部１０１は、ＨＤＤ９２に記憶されている工場出荷時初期値もしくは復元ポイントの少なくとも一方と、新設定値をＨＤＤ９２から取得し、設定項目に対応付けて表示部４７３に表示する。
【００３３】
設定値書込部１０２は、抵抗膜式タッチパネル５０で選択された設定項目に対応してＨＤＤ９２に記憶されている工場出荷時初期値又は復元ポイントをＨＤＤ９２から読み出し、抵抗膜式タッチパネル５０で選択された設定項目に対応する新設定値としてＨＤＤ９２に書き込む。
【００３４】
差分値算出部１０３は、工場出荷時初期値もしくは復元ポイントと、新設定値との差分値を算出する。
【００３５】
差分値記憶部１０４は、差分値算出部１０３で算出された差分値を設定項目に対応付けて記憶する。
【００３６】
変更判断部１０５は、新設定値がＨＤＤ９２に記憶されている工場出荷時初期値又は復元ポイントから変更されているかを判断する。
【００３７】
表示制御部１０１は、変更判断部１０５で新設定値が工場出荷時初期値と復元ポイントの少なくともいずれかから変更されたと判断された場合に、当該新設定値を工場出荷時初期値と復元ポイントに対応付けて表示部４７３に表示する。
【００３８】
なお、本発明の第１実施形態に係る画像処理装置は、上記制御部１００、表示制御部１０１、設定値書込部１０２、差分値算出部１０３、差分値記憶部１０４、及び変更判断部１０５を備えてなる。
【００３９】
制御ユニット１０は、ＨＤＤ９２にインストールされている画像処理プログラムに従った動作により、制御部１００、表示制御部１０１、設定値書込部１０２、差分値算出部１０３、差分値記憶部１０４、及び変更判断部１０５として機能する。但し、当該制御部１００、表示制御部１０１、設定値書込部１０２、差分値算出部１０３、差分値記憶部１０４、及び変更判断部１０５は、制御ユニット１０による画像処理プログラムに従った動作によらず、それぞれハード回路により構成することも可能である。以下、特に触れない限り、各実施形態について同様である。
【００４０】
次に、図３〜図５を参照しながら、本発明の第１実施形態に係る構成及び実行手順について説明する。図３は、本発明の第１実施形態に係る設定項目の設定値の変更動作手順の一例を示すフローチャートである。図４は、設定値リスト画面の一例を示す画面構成図である。図５は、設定値メニュー画面の一例を示す画面構成図である。
【００４１】
この第１実施形態に係る設定値の変更動作手順では、表示制御部１０１は、新設定値を設定項目に対応付けた設定値リスト画面Ｐ１を表示部４７３に表示する。この設定値リスト画面Ｐ１には、設定項目の選択を受け付ける設定項目選択キーＰ１２が設定項目ごとに設けられている。そして、この設定項目選択キーＰ１２が設定項目の選択を受け付けると、設定値書込部１０２は、選択された設定項目に対応して記憶されている工場出荷時初期値又は復元ポイントをＨＤＤ９２から読み出し、選択された設定項目に対応する新設定値としてＨＤＤ９２に書き込む。以下では、第１実施形態に係る設定値の変更動作手順の一例を図３〜図５を参照しながら詳細に説明する。
【００４２】
まず、表示制御部１０１は、設定値リスト画面Ｐ１を表示する操作を受け付けたか否かを判断する（図３のＳ１）。設定値リスト画面Ｐ１を表示する操作を受け付けた場合（Ｓ１でＹＥＳ）、表示制御部１０１は、表示部４７３に設定値リスト画面Ｐ１を表示する（図３のＳ２）。
【００４３】
表示制御部１０１は、画像形成装置１が提供可能な機能（例えば、プリンター機能）の各設定項目が表形式で一覧表示された設定値リスト画面Ｐ１（図４参照）を表示部４７３に表示する。この設定値リスト画面Ｐ１には、設定項目毎に新設定値を表示するための表示欄Ｐ１０が設けられている。例えば、表示制御部１０１は、設定項目「エミュレーション（Emulation）」の表示欄Ｐ１０に新設定値「KPDL(auto)」を表示する。
【００４４】
また例えば、表示制御部１０１は、設定項目「トナーセーブレベル（エコプリント）（Toner SaveLevel(Ecoprint)）」の表示欄Ｐ１０に、新設定値「５」を表示し、設定項目「印刷の向き（Orientation）」の表示欄Ｐ１０に、新設定値「Portrait」を表示する。各表示欄Ｐ１０内の新設定値は、設定項目に対応付けて予めＨＤＤ９２に記憶されている。表示制御部１０１は、ＨＤＤ９２から新設定値を取得し、設定項目に対応付けて表示部４７３に表示する。
【００４５】
表示制御部１０１は、図４に示すように、変更入力が受け付けられた設定項目（例えば「トナーセーブレベル（エコプリント）Toner SaveLevel(Ecoprint)」）の表示欄Ｐ１０に、警告標識Ｐ１１を表示する。この警告標識Ｐ１１は、設定項目に対応付けて予めＨＤＤ９２に記憶されている。変更判断部１０５は、「トナーセーブレベル（エコプリント）Toner SaveLevel(Ecoprint)」に対応する新設定値「５」が工場出荷時初期値「３」又は復元ポイント「２」から変更されているかを判断する。表示制御部１０１は、変更判断部１０５で新設定値「５」が工場出荷時初期値「３」又は復元ポイント「２」から変更されたと判断された場合に、当該新設定値「５」を警告標識Ｐ１１に対応付けて表示部４７３に表示する。この警告標識Ｐ１１を見たユーザーは、設定項目「トナーセーブレベル（エコプリント）Toner SaveLevel(Ecoprint)」の新設定値が工場出荷時初期値もしくは復元ポイントから変更されたものであることを、一見して把握することができる。
【００４６】
図４に示すように、設定値リスト画面Ｐ１には、ユーザーの指等により押圧可能な複数の設定項目選択キーＰ１２や、キャンセルキーＰ１３が設けられている。制御部１００は、設定項目選択キーＰ１２に対応する抵抗膜式タッチパネル５０の抵抗膜間の抵抗値の変化を検出することによって、いずれの設定項目が選択されたかを判断する（図３のＳ３）。設定項目が選択されなかったと判断された場合（Ｓ３でＮＯ）、制御部１００は、キャンセルキーＰ１３の押圧操作があったか否か判断する（Ｓ５）。キャンセルキーＰ１３の押圧操作があった場合（Ｓ５でＹＥＳ）、制御部１００は、処理を終了させる指示を受け付け、設定項目の設定値の変更動作を終了させる。キャンセルキーＰ１３の押圧操作がなかった場合（Ｓ５でＮＯ）、制御部１００は、Ｓ３の判定処理を繰り返す。
【００４７】
一方、制御部１００が設定項目の選択を受け付けたと判断した場合（Ｓ３でＹＥＳ）、表示制御部１０１は、表示部４７３に設定値メニュー画面Ｐ２を表示する（Ｓ４）。この実施形態では、制御部１００は、設定項目「トナーセーブレベル（エコプリント）Toner SaveLevel(Ecoprint)」の選択を受け付けたと判断し、表示制御部１０１は、表示部４７３に設定項目「トナーセーブレベル（エコプリント）Toner SaveLevel(Ecoprint)」の設定値メニュー画面Ｐ２（図５参照）を表示する。
【００４８】
この設定値メニュー画面Ｐ２では、図５に示すように、工場出荷時初期値「３」や復元ポイント「２」を表示する表示欄Ｐ２０や、新設定値「５」を表示する表示欄Ｐ２１が設けられている。さらに、設定値メニュー画面Ｐ２には、新設定値「５」を工場出荷時初期値「３」に戻すための初期化キーＰ２２や、新設定値「５」を復元ポイント「２」に戻すための復元キーＰ２３や、キャンセルキーＰ２４や、ＯＫキーＰ２５が設けられている。
【００４９】
制御部１００は、初期化キーＰ２２の押圧操作を検出することによって、新設定値「５」を工場出荷時初期値「３」に戻す操作を受け付けたか否か判断する（図３のＳ６）。制御部１００が工場出荷時初期値「３」に戻す操作を受け付けた場合（Ｓ６でＹＥＳ）、設定値書込部１０２は、設定項目「トナーセーブレベル（エコプリント）Toner SaveLevel(Ecoprint)」に対応する工場出荷時初期値「３」をＨＤＤ９２から読み出し、設定項目「トナーセーブレベル（エコプリント）Toner SaveLevel(Ecoprint)」に対応する新設定値「５」と置き換えてＨＤＤ９２に書き込む（Ｓ７）。そして、制御部１００は、処理を終了させる指示を受け付け、設定項目の設定値の変更動作を終了させる。
【００５０】
一方、制御部１００が工場出荷時初期値「３」に戻す操作を受け付けなかった場合（Ｓ６でＮＯ）、制御部１００は、復元キーＰ２３の押圧操作を検出することによって、新設定値「５」を復元ポイント「２」に戻す操作を受け付けたか否か判断する（Ｓ８）。制御部１００が復元ポイント「２」に戻す操作を受け付けた場合（Ｓ８でＹＥＳ）、設定値書込部１０２は、設定項目「トナーセーブレベル（エコプリント）Toner SaveLevel(Ecoprint)」に対応する復元ポイント「２」をＨＤＤ９２から読み出し、設定項目「トナーセーブレベル（エコプリント）Toner SaveLevel(Ecoprint)」に対応する新設定値「５」と置き換えてＨＤＤ９２に書き込む（Ｓ９）。そして、制御部１００は、処理を終了させる指示を受け付け、設定項目の設定値の変更動作を終了させる。
【００５１】
一方、制御部１００が復元ポイント「２」に戻す操作を受け付けなかった場合（Ｓ８でＮＯ）、制御部１００は、キャンセルキーＰ２４の押圧操作があったか否か判断する（Ｓ１０）。キャンセルキーＰ２４の押圧操作があった場合（Ｓ１０でＹＥＳ）、制御部１００は、処理を終了させる指示を受け付け、設定項目の設定値の変更動作を終了させる。キャンセルキーＰ２４の押圧操作がなかった場合（Ｓ１０でＮＯ）、制御部１００は、Ｓ６の判定処理を繰り返す。
【００５２】
次に、図６〜図８を参照しながら、本発明の第２実施形態に係る実行手順について説明する。図６は、本発明の第２実施形態に係る設定項目の設定値の変更動作手順の一例を示すフローチャートである。図７は、設定値リスト画面の一例を示す画面構成図である。図８は、設定値変更画面の一例を示す画面構成図である。
【００５３】
この第２実施形態に係る設定値の変更動作手順では、表示制御部１０１は、複数の設定項目ごとに、新設定値、工場出荷時初期値、及び復元ポイントをそれぞれ表示する設定値リスト画面Ｐ３を表示部４７３に表示する。この設定値リスト画面Ｐ３には、複数の設定項目ごとにチェックボックスＰ３５が設けられている。このチェックボックスＰ３５は、複数の設定項目の選択を受け付けることが可能である。そして、このチェックボックスＰ３５が複数の設定項目の選択を受け付けると、設定値書込部１０２は、選択された複数の設定項目に対応する各初期値又は各復元ポイントをＨＤＤ９２から読み出し、選択された複数の設定項目に対応する各新設定値としてＨＤＤ９２にひとまとめにして一括で書き込む。以下では、第２実施形態に係る設定値の変更動作手順の一例を図６〜図８を参照しながら詳細に説明する。
【００５４】
まず、表示制御部１０１は、設定値リスト画面Ｐ３を表示する操作を受け付けたか否かを判断する（図６のＳ１１）。設定値リスト画面Ｐ３を表示する操作を受け付けた場合（Ｓ１１でＹＥＳ）、表示制御部１０１は、表示部４７３に設定値リスト画面Ｐ３を表示する（Ｓ１２）。
【００５５】
図７に示すように、この設定値リスト画面Ｐ３には、設定項目Ｐ３０ごとに新設定値、工場出荷時初期値、及び復元ポイントを表示するための表示欄Ｐ３１〜Ｐ３３や、設定項目Ｐ３０の内容を表示するための表示欄Ｐ３４が設けられている。例えば、表示制御部１０１は、設定項目「トナーセーブレベル（Toner SaveLevel）」の表示欄Ｐ３４に、新設定値「５」、工場出荷時初期値「３」、及び復元ポイント「２」をそれぞれ表示する。また例えば、表示制御部１０１は、設定項目「印刷の向き（Orientation）」の表示欄Ｐ３４に、新設定値「Portrait」、工場出荷時初期値「Landscape」、及び復元ポイント「Landscape」をそれぞれ表示する。
【００５６】
さらに、図７に示すように、設定値リスト画面Ｐ３の表示欄Ｐ３４には、設定項目Ｐ３０の選択を受け付けるチェックボックスＰ３５や、選択された設定項目Ｐ３０の新設定値を変更するための選択項目変更キーＰ３６や、選択された複数の設定項目Ｐ３０の新設定値を一括変更するための一括変更キーＰ３７や、キャンセルキーＰ３８が設けられている。
【００５７】
図６に示すように、制御部１００は、チェックボックスＰ３５の押圧操作を検出することによって、複数の設定項目が選択されたか否か判断する（図６のＳ１３）。制御部１００が複数の設定項目が選択されたと判断すると（Ｓ１３でＹＥＳ）、表示制御部１０１は、表示部４７３に設定値変更画面Ｐ４を表示する（Ｓ１４）。
【００５８】
一方、制御部１００がチェックボックスＰ３５の押圧操作を検出しなかった場合（Ｓ１３でＮＯ）、制御部１００は、キャンセル操作を受け付けたか否か判断する（Ｓ１５）。制御部１００は、キャンセル操作を受け付けた場合（Ｓ１５でＹＥＳ）、処理を終了させる指示を受け付け、設定項目の設定値の変更動作を終了させる。一方、制御部１００は、キャンセル操作を受け付けなかった場合（Ｓ１５でＮＯ）、処理はＳ１３に戻る。
【００５９】
図８に示すように、設定値変更画面Ｐ４には、選択された複数の設定項目の新設定値を工場出荷時初期値に戻すための初期化キーＰ４０や、新設定値を復元ポイントに戻すための復元キーＰ４１や、変更後の設定値を上書き保存するための実行キーＰ４２や、キャンセルキーＰ４３が設けられている。
【００６０】
制御部１００は、初期化キーＰ４０の押圧操作を検出することによって、複数の設定項目の各新設定値を各工場出荷時初期値に戻す操作を受け付けたか否か判断する（図６のＳ１６）。制御部１００が各工場出荷時初期値に戻す操作を受け付けた場合（Ｓ１６でＹＥＳ）、設定値書込部１０２は、複数の設定項目に対応する各工場出荷時初期値をＨＤＤ９２から読み出し、複数の設定項目に対応する新設定値としてＨＤＤ９２にひとまとめにして一括で書き込む（Ｓ１７）。そして、制御部１００は、処理を終了させる指示を受け付け、設定項目の設定値の変更動作を終了させる。
【００６１】
一方、制御部１００が工場出荷時初期値に戻す操作を受け付けなかった場合（Ｓ１６でＮＯ）、制御部１００は、復元キーＰ４１の押圧操作を検出することによって、複数の設定項目の各新設定値を各復元ポイントに戻す操作を受け付けたか否か判断する（図６のＳ１８）。制御部１００が各復元ポイントに戻す操作を受け付けた場合（Ｓ１８でＹＥＳ）、設定値書込部１０２は、複数の設定項目に対応する各復元ポイントをＨＤＤ９２から読み出し、複数の設定項目に対応する新設定値としてＨＤＤ９２にひとまとめにして一括で書き込む（Ｓ１９）。そして、制御部１００は、処理を終了させる指示を受け付け、設定項目の設定値の変更動作を終了させる。
【００６２】
一方、制御部１００が復元ポイントに戻す操作を受け付けなかった場合（Ｓ１８でＮＯ）、制御部１００は、キャンセルキーＰ４３の押圧操作があったか否か判断する（Ｓ２０）。キャンセルキーＰ４３の押圧操作があった場合（Ｓ２０でＹＥＳ）、制御部１００は、処理を終了させる指示を受け付け、設定項目の設定値の変更動作を終了させる。キャンセルキーＰ４３の押圧操作がなかった場合（Ｓ２０でＮＯ）、処理はＳ１６に戻る。
【００６３】
上記各実施形態では、工場出荷時に設定されている工場出荷時初期値や、過去時点に入力を受け付けた復元ポイントと、最新に入力を受け付けた新設定値を設定項目ごとに、表示部４７３を通じてユーザーに明示できるので、表示部４７３を見たユーザーは、設定項目の新設定値と、工場出荷時初期値や復元ポイントとを一目で比較することができる。
【００６４】
つまり、上記各実施形態では、例えば、ジョブ設定、機器設定、及びメンテナンス設定等で意図する出力が得られなかったとしても、ユーザーが表示部４７３を見れば、新設定値が工場出荷時初期値や復元ポイントと異なることを一見して確認できるので、どの設定値が原因で意図する出力が得られなかったかについて迅速な分析及び解決を実現できる。
【００６５】
より具体的には、上記各実施形態では、印刷画像不良等の不具合が発生した場合に、どの設定値が原因で不具合が発生しているのかをユーザーが表示部４７３を通じて一見して確認できるので、不具合の原因究明に向けた迅速な分析及び解決が可能である。
【００６６】
また、上記各実施形態では、印刷画像不良等の不具合が発生した場合に、不具合の原因を特定できなかったとしても、正常に稼働していた時点の復元ポイントや工場出荷時初期値に現在設定値を戻すことで不具合を解消することができる。
【００６７】
また、上記各実施形態では、正常に稼働していた時点の復元ポイントや工場出荷時初期値を既存のＨＤＤ９２にバックアップしておくことができるので、バックアップ用の代替機を別途に用意することなく、既存の記憶装置だけを用いて現在設定値を復元して印刷画像不良等の不具合を解消することができる。
【００６８】
従って、上記各実施形態では、画像形成に関する各設定項目で設定されている設定値を従来よりも効率よく利用することが可能である。
【００６９】
なお、本発明は上記実施の形態の構成に限られず種々の変形が可能である。例えば、上記第２実施形態では、表示制御部１０１は、図７に示したような設定値リスト画面Ｐ３の設定項目「トナーセーブレベル（Toner SaveLevel）」の表示欄Ｐ３４に、新設定値、工場出荷時初期値、及び復元ポイントの各値自体（具体的には、新設定値「５」、工場出荷時初期値「３」、及び復元ポイント「２」）を設定項目Ｐ３０と関連付けて一覧表示しているが、差分値算出部１０３が、工場出荷時初期値「３」もしくは復元ポイント「２」と、新設定値「５」との差分値を算出し、差分値記憶部１０４が、差分値算出部１０３で算出された差分値（新設定値「５」と工場出荷時初期値「３」との差分値「２」や、新設定値「５」と復元ポイント「２」との差分値「３」）を設定項目「トナーセーブレベル（Toner SaveLevel）」に対応付けて記憶することで、表示制御部１０１は、差分値記憶部１０４に記憶されている差分値を設定項目「トナーセーブレベル（Toner SaveLevel）」に対応付けて表示部４７３に表示するものであっても、本発明の一実施形態になり得る。
【００７０】
なお、上記各実施形態では、抵抗膜式タッチパネル５０を用いてユーザーの指等による表示部４７３への押圧を検出する例について述べたが、本発明は、かかる実施の形態に限定されるものではない。例えば、一対の電極間に形成される静電容量の変化を検出する静電容量式タッチパネルを用いてユーザーの指等による表示部４７３への押圧を検出するものでも良い。
【００７１】
また、図１乃至図８を用いて上記各実施形態に示した構成及び処理は、本発明の一実施形態に過ぎず、本発明の構成及び処理はこれに限定されるものではない。
【符号の説明】
【００７２】
１              画像形成装置
１０            制御ユニット
１２            画像形成部
５０            抵抗膜式タッチパネル
９２            ＨＤＤ
１００          制御部
１０１          表示制御部
１０２          設定値書込部
１０３          差分値算出部
１０４          差分値記憶部
１０５          変更判断部
４７３          表示部
Ｐ１            設定値リスト画面
Ｐ２            設定値メニュー画面
Ｐ３            設定値リスト画面
Ｐ４            設定値変更画面
Ｐ１１          警告標識
【図１】
2015212062.tif 000003
【図２】
2015212062.tif 000004
【図３】
2015212062.tif 000005
【図４】
2015212062.tif 000006
【図５】
2015212062.tif 000007
【図６】
2015212062.tif 000008
【図７】
2015212062.tif 000009
【図８】
2015212062.tif 000010